(57)【要約】  指紋と指静脈を撮影できる統合撮影認証装置２００であって、オブジェクト収容部２０１は、上下で指保持部を形成するスキャンパネル上部ケース２０１ａおよびその電装部を収容するスキャンパネル下部ケース２０１ｂで構成され、スキャンパネル上部ケース２０１ａの上部には、指紋と指静脈を同時撮影するスキャンパネル２５０が設置され、スキャンパネル２５０は、指紋指接触部２５０ａと指静脈指非接触部２５０ｂが前後で段を成しながら形成し、且つ、スキャンパネル２５０の指静脈指非接触部２５０ｂが赤外線を発信する赤外線光源部２４０が下部で保持され得る溝で形成され得るように周囲に溝側壁２５１を形成し、且つ、その周囲の上端縁に指を載置し得るように指保持部２５２が指紋認証モジュール２５０ａａが形成された指紋指接触部２５０ａと平行に形成されると同時に、スキャンパネル２５０に形成された指紋指接触部２５０ａと指静脈指非接触部２５０ｂが並んで二つの指を認証することができるように２列で形成されることを特徴とする指紋と指静脈を同時に認証する多面立体撮影装置を提供する。
2019511793.tif 000002
【特許請求の範囲】
【請求項１】
指紋と指静脈を撮影できる統合撮影認証装置（２００）であって、オブジェクト収容部（２０１）は、上下で指保持部を形成するスキャンパネル上部ケース（２０１ａ）およびその電装部を収容するスキャンパネル下部ケース（２０１ｂ）で構成され、前記スキャンパネル上部ケース（２０１ａ）の上部には、指紋と指静脈を同時撮影するスキャンパネル（２５０）が設置され、前記スキャンパネル（２５０）は、指紋指接触部（２５０ａ）と指静脈指非接触部（２５０ｂ）が前後で段を成しながら形成し、且つ、前記スキャンパネル（２５０）の指静脈指非接触部（２５０ｂ）が溝で形成され得るように周囲に溝側壁（２５１）を形成し、且つ、その周囲の上端縁に指を載置し得るように指保持部（２５２）が指紋指接触部（２５０ａ）と平行に形成されており、指紋と指静脈は、３台のＣＣＤカメラ（２２０、２３０、２３１）で撮影することができるように形成し、且つ、指静脈カメラ（２３０）（２３１）は、オブジェクト収容部（２０１）内に内蔵されて、スキャンパネル（２５０）に向かって下部および側面でオブジェクトの指静脈を撮影し、指紋カメラ２２０がオブジェクトの指紋を下部で撮影することを特徴とする指紋と指静脈を同時に認証する多面立体撮影装置。
【請求項２】
指の血流フローの温度を感知する温度センサー（２７５）がスキャンパネル（２５０）の指紋指接触部（２５０ａ）に対向して指静脈指非接触部（２５０ｂ）の前方に形成されることを特徴とする請求項１に記載の指紋と指静脈を同時に認証する多面立体撮影装置。
【請求項３】
指紋と指静脈を撮影できる統合撮影認証装置（２００）であって、オブジェクト収容部（２０１）は、上下で指保持部を形成するスキャンパネル上部ケース（２０１ａ）およびその電装部を収容するスキャンパネル下部ケース（２０１ｂ）で構成され、前記スキャンパネル上部ケース（２０１ａ）の上部には、指紋と指静脈を同時撮影するスキャンパネル（２５０）が設置され、前記スキャンパネル（２５０）は、指紋指接触部（２５０ａ）と指静脈指非接触部（２５０ｂ）が前後で段を成しながら形成し、且つ、前記スキャンパネル（２５０）の指静脈指非接触部（２５０ｂ）が溝で形成され得るように周囲に溝側壁（２５１）を形成し、且つ、その周囲の上端縁に指を載置し得るように指保持部（２５２）が指紋指接触部（２５０ａ）と平行に形成されており、指の血流フローの温度を感知する温度センサー（２７５）がスキャンパネル（２５０）の指紋指接触部（２５０ａ）に対向して指静脈指非接触部（２５０ｂ）の前方に形成されることを特徴とする指紋と指静脈を同時に認証する多面立体撮影装置。
【請求項４】
指紋と指静脈を撮影できる統合撮影認証装置（２００）であって、オブジェクト収容部（２０１）は、上下で指保持部を形成するスキャンパネル上部ケース（２０１ａ）およびその電装部を収容するスキャンパネル下部ケース（２０１ｂ）で構成され、前記スキャンパネル上部ケース（２０１ａ）の上部には、指紋と指静脈を同時撮影するスキャンパネル（２５０）が設置され、前記スキャンパネル（２５０）は、指紋指接触部（２５０ａ）と指静脈指非接触部（２５０ｂ）が前後で段を成しながら形成し、且つ、前記スキャンパネル（２５０）の指静脈指非接触部（２５０ｂ）が赤外線を発信する赤外線光源部（２４０）が下部で保持され得る溝で形成され得るように周囲に溝側壁（２５１）を形成し、且つ、その周囲の上端縁に指を載置し得るように指保持部（２５２）が指紋認証モジュール（２５０ａａ）が形成された指紋指接触部（２５０ａ）と平行に形成されると同時に、前記スキャンパネル（２５０）に形成された指紋指接触部（２５０ａ）と指静脈指非接触部（２５０ｂ）が並んで二つの指を認証することができるように２列で形成し、且つ、前記指紋と指静脈を同時に認証する多面立体撮影装置は、（１）指紋１（２５０ａｎ）と指紋２（２５０ａｒ）、（２）指静脈１（２５０ｂｎ）と指静脈２（２５０ｂｒ）、（３）指紋１（２５０ａｎ）と指静脈１（２５０ｂｎ）、（４）指紋２（２５０ａｒ）と指静脈２（２５０ｂｒ）、（５）指紋１（２５０ａｎ）と指静脈２（２５０ｂｒ）、（６）指紋２（２５０ａｒ）と指静脈１（２５０ｂｎ）のうちいずれか一つを択一的に選択されて認証する場合に撮影されることを特徴とする指紋と指静脈を同時に認証する多面立体撮影装置。
【請求項５】
前記指紋と指静脈を同時に認証する多面立体撮影装置は、前記６種類の認証方法のうち択一的に選択された一つの方法における二つの認証要素が段階的に認証処理された場合に限って、ミドルウェア承認処理部で認証処理されることを特徴とする請求項４に記載の指紋と指静脈を同時に認証する多面立体撮影装置。
【請求項６】
前記指紋と指静脈を同時に認証する多面立体撮影装置は、前記６種類の認証方法のうち択一的に選択された一つの方法で先に選ばれた情報が同一または類似のものがある場合、ユーザ識別が不可能であれば、指定されていない他の情報を用いて同一または類似の情報のうちユーザ認証処理した後にミドルウェア承認処理部で認証処理されることを特徴とする請求項４または５に記載の指紋と指静脈を同時に認証する多面立体撮影装置。
【請求項７】
指紋と指静脈を撮影できる統合撮影認証装置（２００）であって、オブジェクト収容部（２０１）は、上下で指保持部を形成するスキャンパネル上部ケース（２０１ａ）およびその電装部を収容するスキャンパネル下部ケース（２０１ｂ）で構成され、前記スキャンパネル上部ケース（２０１ａ）の上部には、指紋を撮影する指紋指接触部（２５０ａａ）（２５０ａｂ）を形成し、且つ、前記スキャンパネルの指紋指接触部（２５０ａａ）、（２５０ａｂ）には、指紋認証モジュール（２５０ａａ）（２５０ａｂ）が形成されており、前記指紋指接触部（２５０ａａ）（２５０ａｂ）が前記スキャンパネルに二つの指が保持され得るほどの隔壁（２５３ａ）（２５３ｂ）（２５３ｃ）により並んで２列で形成されることを特徴とする指紋と指静脈を同時に認証する多面立体撮影装置。
【請求項８】
前記スキャンパネルの指紋指接触部（２５０ａａ）（２５０ａｂ）の下部に指の血流フローまたは温度を感知する温度センサー（２０５ａ）（２０５ｂ）が形成されるか、前記指紋認証モジュール（２５０ａａ）（２５０ａｂ）のいずれか一つの層に指の血流フローまたは温度を認証する薄板層が形成されることを特徴とする請求項７に記載の指紋と指静脈を同時に認証する多面立体撮影装置。
【発明の詳細な説明】
【技術分野】
【０００１】
本発明は、指紋と指静脈を同時に認証する多面立体撮影装置に関する。特に、指紋と指静脈を統合して同時に認証することにより、極度のセキュリティーを要求する国家情報院および金融取引システムに適用できるように創案された、指紋と指静脈を同時に認証する多面立体撮影装置に関する。
【０００２】
指紋と指静脈を同時に認証する多面立体撮影装置は、両指を利用して指紋と一緒に指静脈を追加認証することにより、個人の生体認証を従来の認証環境より格別に唯一の情報に維持して、ピンテクの新技術を確保する装置の技術である。
【背景技術】
【０００３】
人間ごとに固有な生体情報は、人間から分離することができないという長所がある。
【０００４】
指紋認識の場合には、湿気や異物が指についている場合や指の肌のき損と変形がある場合など、頻繁な認証エラーが指摘され、指紋の表面が容易に偽造および複製が可能であるという問題点があった。
【０００５】
指紋認識の誤認識率は、約５％に達し、例えば１００人のうち５人程度の指紋を認識できないということである。
【０００６】
なお、虹彩認識技術では、カラーコンテンツレンズを着用するか、またはレーシックやラセック手術を受けた場合に、認証に失敗したり、認証にかかる時間が長く、距離と角度によるエラー問題が指摘された。
【０００７】
上記のような生体認識技術よりも、耐偽造性、誤認識率（Ｆａｌｓｅ  Ａｃｃｅｐｔａｎｃｅ  Ｒａｔｅ）、誤拒絶率（Ｆａｌｓｅ  Ｒｅｊｅｃｔ  Ｒａｔｅ）、登録失敗率（Ｆａｉｌｕｒｅ  ｔｏ  Ｅｎｒｏｌｌ  Ｒａｔｅ）、認証時間などすべての面において優れた生体情報として指静脈認証技術が知られている。
【０００８】
指静脈認証技術は、近赤外線を指に透過させて静脈パターンを認識する技術である。血管内部を認証するので、偽・変造が不可能であり、必要に応じては、死んだ人の指静脈パターンを活用できるという長所もある。
【０００９】
このような指静脈認証技術は、ＣＣＤカメラを利用して指静脈イメージを得るハードウェア装置技術と、指静脈イメージをパターン処理プログラムを用いて指静脈イメージをフィルタリングしたり、静脈パターンを抽出して演算するソフトウェア技術が結合されている。
【００１０】
しかしながら、指静脈認証装置には、二つの短所があるが、第一に、依然として誤認識の可能性があるということである。指静脈処理アルゴリズムによって１０万人当たり１人または１００万人当たり一人において同じ指静脈血管の形態で認識することとなるという点が知られている。したがって、指静脈認証技術の優秀性にもかかわらず、指の内部の二次元的指静脈の形態が偶然に類似した二人に対しては、指静脈の形態だけで正確な本人認証ができないという弱点があった。
【００１１】
第二の短所は、二つの指静脈の写真の類似性を比較するとき、大雑把に見積もって最大限二つの形態が重なるように積み重ねた後、比較しなければならないということである。すなわち、二つの指静脈に対する血管の類似性を絶対座標を基準として比較するものではなく、相手座標を基準として比較するので、正確な認識を妨害する偏差要因として作用することができる。
【００１２】
このような問題を解決するために、図１のような技術を創案した。
【００１３】
図１に示されたように、オブジェクト収容部１０１の上部には、ガラスまたはアクリルなどの透明素材からなるスキャンパネル１０５が設置される。ユーザは、指オブジェクトをこのスキャンパネル１０５の上に当てて指静脈認証を開始する。装置による指静脈認証が開始されると、赤外線光源部１４０と可視線光源部１４１が指オブジェクトに向かって赤外線と可視線を照射する。
【００１４】
また、ＣＣＤ赤外線カメラとＣＣＤ可視線カメラがそれぞれ照射された指の指静脈と指節の指紋を撮影することとなる。
【００１５】
従来発明の装置１００には、二台のＣＣＤカメラ１３０、１３１が内蔵されている。
【００１６】
指静脈カメラ１３０は、オブジェクト収容部１０１内に内蔵されて設置され、スキャンパネル１０５に向かってオブジェクトの指静脈を撮影する。また、ほぼ同時に指節の指紋カメラ１３１が同じオブジェクト収容部１０１内に設置されて、オブジェクトの指節の指紋を撮影する。
【００１７】
赤外線光源部１４０は、オブジェクト収容部に向かって赤外線光を照射する。好ましくは指静脈イメージを撮像するに適合した６３０〜１，０００ｎｍ波長の赤外線光を放出するものであって、１個以上のＬＥＤで構成され得る。また、好ましくは光学フィルターが設置されて、光ノイズを除去するようにすることができる。
【００１８】
可視線光源部１４１は、オブジェクト収容部に向かって可視光線を照射する。指の表面における指節の指紋を撮影するに適合した波長の紫外線光を放出するものであって、１個以上のＬＥＤで構成され得る。
【００１９】
また、従来発明の一実施形態では、オブジェクト収容部に向かって赤外線光と可視線光を照射する赤外線光源部１４０と可視線光源部１４１がそれぞれ一つ設置され得る。
【００２０】
しかも、従来発明の好ましい実施形態において指静脈カメラ１３０は、二つの指オブジェクトに対する指静脈イメージを獲得する。
【００２１】
しかしながら、指静脈認証装置に二つの指を当てても、前記第一の短所である誤認識の可能性と、第二の短所である二つの指静脈写真の類似性を比較するとき、大雑把に見積もって最大限二つの形態が重なるように積み重ねた後に比較しなければならない問題点は、依然として残っており、指静脈一つだけの誤認識率をカバーすることができないという問題点があった。
【００２２】
しかも、上記のような生体認識技術よりも、耐偽造性、誤認識率（Ｆａｌｓｅ  Ａｃｃｅｐｔａｎｃｅ  Ｒａｔｅ）、誤拒絶率（Ｆａｌｓｅ  Ｒｅｊｅｃｔ  Ｒａｔｅ）、登録失敗率（Ｆａｉｌｕｒｅ  ｔｏ  Ｅｎｒｏｌｌ  Ｒａｔｅ）、認証時間などすべての面において優れた生体情報として指静脈認証技術が知られている。指静脈認証技術は、近赤外線を指に透過させて、静脈パターンを認識する技術である。血管内部を認証するので、偽・変造が不可能であり、死んだ人の指静脈パターンが活用できないという長所がある。しかしながら、１，０００万人またはそれ以上の１人程度で同じパターンを有し得るというもしもの問題点も今なお残っている。
【発明の概要】
【発明が解決しようとする課題】
【００２３】
本発明の目的は、指静脈の誤認識率を顕著に改善できる指紋と指静脈を同時に認証することにより、指紋の誤認識率を減らし、指静脈に対する血管の類似性判断のエラーを低減することができ、人間の人体情報を一つの指だけでも容易に認証できる認証方法を提供することにある。
【００２４】
しかも、指紋や指静脈の認識率に対する誤差範囲を狭めるためにそれぞれの認識率を減らし、組合せの形態による認証可否を判断する場合には、認証の判断速度が速くなり、認識判断装備の製造が容易となるように改善することにその目的がある。
【課題を解決するための手段】
【００２５】
上記のような目的を達成するための本発明は、スキャンパネル２５０の指静脈指非接触部２５０ｂが溝で形成され得るように周囲に溝側壁２５１を形成し、且つ、その周囲の上端縁に指を載置し得るように指保持部２５２が指紋指接触部２５０ａと平行に形成されており、指紋と指静脈は、３台のＣＣＤカメラ２２０、２３０、２３１で撮影することができるように形成し、且つ、指静脈カメラ２３０、２３１は、オブジェクト収容部２０１内内蔵されて、スキャンパネル２５０に向かって下部および側面でオブジェクトの指静脈を撮影し、指紋カメラ２２０がオブジェクトの指紋を下部で撮影することを特徴とする指紋と指静脈を同時に認証する多面立体撮影装置である。
【００２６】
また、本発明において、指の血流フローの温度を感知する温度センサー２７５が、スキャンパネル２５０の指紋指接触部２５０ａに対向して指静脈指非接触部２５０ｂの前方に形成されることを特徴とする指紋と指静脈を同時に認証する多面立体撮影装置である。
【００２７】
また、本発明は、指紋と指静脈を撮影できる統合撮影認証装置２００であって、オブジェクト収容部２０１は、上下で指保持部を形成するスキャンパネル上部ケース２０１ａおよびその電装部を収容するスキャンパネル下部ケース２０１ｂで構成され、前記スキャンパネル上部ケース２０１ａの上部には、指紋と指静脈を同時撮影するスキャンパネル２５０が設置され、前記スキャンパネル２５０は、指紋指接触部２５０ａと指静脈指非接触部２５０ｂが前後で段を成しながら形成し、且つ、前記スキャンパネル２５０の指静脈指非接触部２５０ｂが溝で形成され得るように周囲に溝側壁２５１を形成し、且つ、その周囲の上端縁に指を載置し得るように指保持部２５２が指紋指接触部２５０ａと平行に形成されており、指の血流フローの温度を感知する温度センサー２７５がスキャンパネル２５０の指紋指接触部２５０ａに対向して指静脈指非接触部２５０ｂの前方に形成されることを特徴とする指紋と指静脈を同時に認証する多面立体撮影装置である。
【００２８】
また、本発明は、指紋と指静脈を撮影できる統合撮影認証装置２００であって、オブジェクト収容部２０１は、上下で指保持部を形成するスキャンパネル上部ケース２０１ａおよびその電装部を収容するスキャンパネル下部ケース２０１ｂで構成され、前記スキャンパネル上部ケース２０１ａの上部には、指紋と指静脈を同時撮影するスキャンパネル２５０が設置され、前記スキャンパネル２５０は、指紋指接触部２５０ａと指静脈指非接触部２５０ｂが前後で段を成しながら形成し、且つ、前記スキャンパネル２５０の指静脈指非接触部２５０ｂが赤外線を発信する赤外線光源部２４０が下部で保持され得る溝で形成され得るように周囲に溝側壁２５１を形成し、且つ、その周囲の上端縁に指を載置し得るように指保持部２５２が指紋認証モジュール２５０ａａが形成された指紋指接触部２５０ａと平行に形成されると同時に、前記スキャンパネル２５０に形成された指紋指接触部２５０ａと指静脈指非接触部２５０ｂが並んで二つの指を認証することができるように２列で形成し、且つ、前記指紋と指静脈を同時に認証する多面立体撮影装置は、（１）指紋１（２５０ａｎ）と指紋２（２５０ａｒ）、（２）指静脈１（２５０ｂｎ）と指静脈２（２５０ｂｒ）、（３）指紋１（２５０ａｎ）と指静脈１（２５０ｂｎ）、（４）指紋２（２５０ａｒ）と指静脈２（２５０ｂｒ）、（５）指紋１（２５０ａｎ）と指静脈２（２５０ｂｒ）、（６）指紋２（２５０ａｒ）と指静脈１（２５０ｂｎ）のうちいずれか一つを択一的に選択して認証する場合に撮影されることを特徴とする指紋と指静脈を同時に認証する多面立体撮影装置である。
【００２９】
また、本発明において、前記指紋と指静脈を同時に認証する多面立体撮影装置は、前記６種類の認証方法のうち択一的に選択された一つの方法における二つの認証要素が段階的に認証処理された場合に限って、ミドルウェア承認処理部で認証処理されることを特徴とする指紋と指静脈を同時に認証する多面立体撮影装置である。
【００３０】
また、本発明において、前記指紋と指静脈を同時に認証する多面立体撮影装置は、前記６種類の認証方法のうち択一的に選択された一つの方法において先に選ばれた情報が同一または類似のものがある場合、ユーザ識別が不可能であれば、指定されていない他の情報を用いて同一類似の情報のうちユーザ認証処理した後に、ミドルウェア承認処理部で認証処理されることを特徴とする指紋と指静脈を同時に認証する多面立体撮影装置である。
【００３１】
また、本発明は、指紋と指静脈を撮影できる統合撮影認証装置２００であって、オブジェクト収容部２０１は、上下で指保持部を形成するスキャンパネル上部ケース２０１ａおよびその電装部を収容するスキャンパネル下部ケース２０１ｂで構成され、前記スキャンパネル上部ケース２０１ａの上部には、指紋を撮影する指紋指接触部２５０ａａ、２５０ａｂを形成し、且つ、前記スキャンパネルの指紋指接触部２５０ａａ、２５０ａｂには、指紋認証モジュール２５０ａａ、２５０ａｂが形成されており、前記指紋指接触部２５０ａａ、２５０ａｂが前記スキャンパネルに二つの指が保持され得るほどの隔壁２５３ａ、２５３ｂ、２５３ｃにより並んで２列で形成されることを特徴とする指紋と指静脈を同時に認証する多面立体撮影装置である。
【００３２】
また、本発明において、前記スキャンパネルの指紋指接触部２５０ａａ、２５０ａｂの下部に指の血流フローまたは温度を感知する温度センサー２０５ａ、２０５ｂが形成されるか、または前記指紋認証モジュール２５０ａａ、２５０ａｂのいずれか一つの層に指の血流フローまたは温度を認証する薄板層が形成されることを特徴とする指紋と指静脈を同時に認証する多面立体撮影装置である。
【発明の効果】
【００３３】
本発明は、指静脈の誤認識率を顕著に改善できる指紋と指静脈を同時に認証することにより、指紋の誤認識率を減らし、指静脈に対する血管の類似性判断のエラーを低減することができ、人間の人体情報を一つの指だけでも容易に認証できるので、公認証明書を代替することができるセキュリティーの顕著な効果を奏することができる効果がある。
【００３４】
したがって、二つの指を利用しても、指紋や指静脈の認識率に対する誤差範囲を狭めてそれぞれの認識率を減らし、組合せの形態による認証可否を判断することにより、認証の判断速度が速くなり、認識判断装備の製造が容易であり、誤差範囲も一層減少する効果があるものである。
【００３５】
このような長短所を補完して指静脈認証技術と指紋を融合した両指に存在する指紋と指静脈の同時スキャン撮影による４Ｄ立体認証装置を用いて生体情報を獲得する場合、世界の終末が来るその瞬間までも唯一無二の生体認識情報を維持できるものと判断する。
【００３６】
指紋と指静脈撮影認証装置は、指を認証する上段部の１／３前方に指紋獲得モジュールを設置し、その後方の一番目の指節から２番目の指節の内側まで指静脈獲得モジュールを設置して、ユーザの指紋と指静脈情報を獲得した後、データベース化して、２番目と３番目または３番目と４番目の指を自然に１１字形状とするか、下方で発信される赤外線の干渉によって隔膜の部分を形成して、Ｖ字状に端末に接続する刹那の瞬間、４Ｄ立体撮影機法により同時認証を経るようにすることで、装置の機能がすべて確保されるものである。
【００３７】
上記のように、二つの指を利用する場合には、接地角度が一定で、接地される認証部分の一致性と安定性が一定になるので、指紋や指静脈の認識度が正確になり得る効果があるものである。
【００３８】
特に、グーグル（商標登録）やネイバー（商標登録）検索窓で指紋認識技術を検索すると、斗山百科で提供している指紋認識技術資料から確認されたように、他人との誤差範囲は、１０億分の１であることが確認することができる。それにもかかわらず、偽・変造の問題点が解決できないということが未解決課題であったが、ユーザの指紋と指静脈の両方の指を自然に並んで端末に接続する瞬間、血流フローの脈拍を利用した温度センサー感知を作動させて、４Ｄ立体撮影装置の技術と連動して指紋と指静脈の両指に存在する４種類の形態に分類された指紋または指静脈生体認識の全てを同時スキャニングして認識するようにすることで、誤認識や誤拒否の問題点を全部解決することができる効果があるものである。
【図面の簡単な説明】
【００３９】
【図１】図１は、従来発明の一実施形態による認証装置の指静脈と指節の指紋のイメージ獲得メカニズムを概念的に示す図である。
【図２】図２、図３は、本発明の一実施形態による認証装置の指静脈と指紋のイメージ獲得メカニズムを概念的に示す図であって、上部の指を置く保持部のそれぞれ異なる実施形態である。
【図３】図２、図３は、本発明の一実施形態による認証装置の指静脈と指紋のイメージ獲得メカニズムを概念的に示す図であって、上部の指を置く保持部のそれぞれ異なる実施形態である。
【図４】図４は、本発明の一実施形態による認証装置の二つの指に対する指紋と指静脈のイメージ獲得メカニズムを概念的に示す図である。
【図５】図５は、本発明の一実施形態による認証装置の二つの指に対する指紋のイメージ獲得メカニズムを概念的に示す図である。
【図６】図６は、本発明の認証装置の内部電子的構成例を示す図である。
【図７】図７は、指静脈イメージセンサーと指紋イメージセンサーが撮影する同じ指の指紋面（ａ）と指の側面（ｂ）を示す。
【図８】図８は、本発明の認証装置を利用した認証方法の全体プロセスの構成例を示す図である。
【図９】図９は、本発明の二つの指に対する指紋および指静脈のイメージを区分して示す図である。
【図１０】図１０は、本発明の指紋１と指紋２および指静脈１と指静脈２が組合せの形態を示すことができるマトリックス表である。
【図１１】図１１、図１２は、本発明の指紋１と指紋２が同時に認証される場合のフローチャートである。
【図１２】図１１、図１２は、本発明の指紋１と指紋２が同時に認証される場合のフローチャートである。
【図１３】図１３、図１４は、本発明の指静脈１と指静脈２が同時に認証される場合のフローチャートである。
【図１４】図１３、図１４は、本発明の指静脈１と指静脈２が同時に認証される場合のフローチャートである。
【図１５】図１５、図１６は、本発明の指紋１と指静脈１が同時に認証される場合のフローチャートである。
【図１６】図１５、図１６は、本発明の指紋１と指静脈１が同時に認証される場合のフローチャートである。
【図１７】図１７、図１８は、本発明の指紋２と指静脈２が同時に認証される場合のフローチャートである。
【図１８】図１７、図１８は、本発明の指紋２と指静脈２が同時に認証される場合のフローチャートである。
【図１９】図１９、図２０は、本発明の指紋１と指静脈２が同時に認証される場合のフローチャートである。
【図２０】図１９、図２０は、本発明の指紋１と指静脈２が同時に認証される場合のフローチャートである。
【図２１】図２１、図２２は、本発明の指紋２と指静脈１が同時に認証される場合のフローチャートである。
【図２２】図２１、図２２は、本発明の指紋２と指静脈１が同時に認証される場合のフローチャートである。
【図２３】図２３は、本発明の金融取引システムを示すブロック図である。
【発明を実施するための形態】
【００４０】
本発明を説明するに際して、関連した公知機能に対してこの分野における技術者に自明な事項であって、本発明の要旨を不明にすることができると判断される場合には、その詳細な説明を省略する。
【００４１】
図１は、従来発明の一実施形態による認証装置１００の指静脈と指節の指紋のイメージ獲得メカニズムを概念的に示す図であり、図２、図３は、本発明の一実施形態による認証装置２００の指静脈と指紋のイメージ獲得メカニズムを概念的に示す図であって、上部の指を置く保持部のそれぞれ異なる実施形態であり、図４は、本発明の一実施形態による認証装置２００の二つの指に対する指紋と指静脈のイメージ獲得メカニズムを概念的に示す図であり、図５は、本発明の一実施形態による認証装置２００の二つの指に対する指紋のイメージ獲得メカニズムを概念的に示す図であり、図６は、本発明の認証装置２００の内部電子的構成例を示す図であり、図７は、指静脈イメージセンサーと指紋イメージセンサーが撮影する同じ指の指紋面（ａ）と指の側面（ｂ）を示す図であり、図８は、本発明の認証装置を利用した認証方法の全体プロセスの構成例を示す図である。
【００４２】
図２から分かるように、本発明は、指紋と指静脈を撮影できる統合撮影認証装置２００であって、オブジェクト収容部２０１は、上下で指保持部を形成するスキャンパネル上部ケース２０１ａおよびその電装部を収容するスキャンパネル下部ケース２０１ｂで構成され、前記スキャンパネル上部ケース２０１ａの上部には、ガラスまたはアクリルなどの透明素材からなる指紋と指静脈を同時撮影するスキャンパネル２５０が設置され、前記スキャンパネル２５０は、指紋指接触部２５０ａと指静脈指非接触部２５０ｂが前後で段を成しながら形成されている。
【００４３】
前記スキャンパネル２５０の指静脈指非接触部２５０ｂが溝で形成され得るように溝側壁２５１で端部に形成されており、その上段の周囲に指を載置し得るように指保持部２５２が指紋指接触部２５０ａと平行に形成されている。
【００４４】
また、指の血流フローの温度を感知する温度センサー２７５がスキャンパネル２５０の指紋指接触部２５０ａに対向して指静脈指非接触部２５０ｂの前方に形成することにより、指を着地させる場合、指の温度および血流フローを感知して、感知された温度およびフローにより指静脈の認識が可能に形成されている。
【００４５】
また、一側面には、指静脈をさらに正確に撮影するために側面で撮影することができるように赤外線側面発信部２６０ａを収容する赤外線側面発信部ケース２６０が長手方向に形成されている。
【００４６】
前記スキャンパネル下部ケース２０１ｂは、電装品を収容できる空間で形成することとなる。
【００４７】
また、指が保持され得る指保持枠２５３が形成される。
【００４８】
したがって、本発明の第１実施形態において、ユーザは、指オブジェクトをこのスキャンパネル２５０の上に当てて指静脈認証を開始し、前記装置による指静脈認証が開始されると、赤外線光源部２４０と可視線光源部２４２が指オブジェクトに向かって赤外線と可視線を照射する。
【００４９】
また、多数の可視線イメージセンサーがそれぞれ照射された指の指紋と指静脈を撮影することとなる。
【００５０】
本発明の第１実施形態において統合撮影認証装置２００には、２台のイメージセンサー２２０、２３０が内蔵されている。指静脈イメージセンサー２３０は、オブジェクト収容部２０１内に内蔵されて設置され、スキャンパネル２５０に向かって下部でオブジェクトの指静脈を撮影する。また、ほぼ同時に指紋イメージセンサー２２０が同じオブジェクト収容部２０１内に設置されて、オブジェクトの指紋を撮影する。
【００５１】
本発明の第２実施形態において、ユーザは、指オブジェクトをこのスキャンパネル２５０の上に当てて指静脈認証を開始し、前記装置による指静脈認証が開始されると、赤外線光源部２４０、２４１と可視線光源部２４２が指オブジェクトに向かって赤外線と可視線を照射する。
【００５２】
また、これらのイメージセンサーがそれぞれ照射された指の指紋と指静脈を撮影することとなる。
【００５３】
本発明の第２実施形態において統合撮影認証装置２００には、３台のイメージセンサー２２０、２３０、２３１が内蔵されている。指静脈イメージセンサー２３０、２３１は、オブジェクト収容部２０１内に内蔵されて設置され、スキャンパネル２５０に向かって下部および側面でオブジェクトの指静脈を撮影する。また、ほぼ同時に指紋イメージセンサー２２０が同じオブジェクト収容部２０１内に設置されて、オブジェクトの指紋を撮影する。
【００５４】
本発明の好ましい一実施形態において、指静脈イメージセンサー２３０、２３１と指紋イメージセンサー２２０は、指の指静脈と指紋を同時に撮影して、二つとも生体情報として使用することにより、一つの指紋や指静脈を測定するためにそれぞれ撮影した時より誤差範囲を最大２乗分の１に減らすことができる。
【００５５】
本発明の好ましい実施形態において、前記指静脈イメージセンサー２３０、２３１と指紋イメージセンサー２２０は、一つの指の指静脈と指紋を一度で撮影できるものの、指静脈は、指紋面と９０度の側面で撮影することにより、一つの指により同時に指紋と指静脈イメージを得て、同じ誤差範囲の縮小化の効果を得ることができる。指の側面を撮影するときには、指をスキャンパネルに載置した状態で９０度の側面に転がして、側面がスキャンパネルに当接するようにする。
【００５６】
図３は、本発明の第３実施形態であって、図２に示された実施形態と大部分同一であるが、指紋認識部において、第２実施形態では、統合撮影認証装置２００に３台のイメージセンサー２２０、２３０、２３１が内蔵されているが、このうち指紋イメージセンサー２２０の代わりに指紋認識モジュール２５０ａａを形成して、指紋の接触によって指紋を判断できる方法を提供している。
【００５７】
このような指紋認識モジュール２５０ａａは、多層の薄板構造となっており、指紋認証モジュールの上層部に指紋認識層が形成されており、その下部に温度および血流感知認証層が形成されて、人体の温度および血流を感知した後に、その作動を開始し得るように形成され得る。
【００５８】
図４は、二つの指紋と指静脈を利用する本発明の第４実施形態であって、図２に示された実施形態と同じ技術的構成については、同じ符号および技術的用語をそのまま使用することとする。
【００５９】
図４から分かるように、本発明は、指紋と指静脈を撮影できる統合撮影認証装置２００であって、オブジェクト収容部２０１は、上下で指保持部を形成するスキャンパネル上部ケース２０１ａおよびその電装部を収容するスキャンパネル下部ケース２０１ｂで構成され、前記スキャンパネル上部ケース２０１ａの上部には、ガラスまたはアクリルなどの透明素材からなる二つの指の指紋と指静脈を同時撮影する二つのスキャンパネル２５０ｎ、２５０ｒが設置され、前記二つのスキャンパネル２５０ｎ、２５０ｒは、指紋指接触部２５０ａｎ、２５０ａｒと指静脈指非接触部２５０ｂｎ、２５０ｂｒが前後で段を成しながら形成されている。
【００６０】
前記いずれか一方のスキャンパネル２５０ｎの指静脈指非接触部２５０ｂｎが溝で形成され得るように溝側壁２５１で端部に形成されており、その上段の周囲に指を載置し得るように指保持部２５２が指紋指接触部２５０ａと平行に形成されている。
【００６１】
また、指の血流フローまたは温度を感知する温度センサー２７５がスキャンパネル２５０の指紋指接触部２５０ａｎに対向して指静脈指非接触部２５０ｂｎの前方に形成することにより、指を着地させる場合、指の温度または血流フローを感知して、感知された温度または流れによって指静脈の認識が可能に形成されている。
【００６２】
しかも、前記スキャンパネルの指紋指接触部２５０ａａ、２５０ａｂの下部に指の血流フローまたは温度を感知する温度センサー２０５ａ、２０５ｂを形成したり、前記指紋認証モジュール２５０ａａ、２５０ａｂのいずれか一つの層に指の血流フローまたは温度を認証する薄板層を形成して、生体が同時に認証しない場合には、その作動ができないようにするものである。
【００６３】
すなわち、前記温度センサー２７５の代わりに指紋認識モジュール２５０ａｎ、２５０ａｒが形成され得るが、これは、多層の薄板構造となっており、指紋認証モジュールの上層部に指紋認識層が形成されており、その下部に温度および血流感知認証層が形成されて、人体の温度および血流を感知した後に、その作動を開始し得るように形成され得る。
【００６４】
また、一側面には、指静脈をさらに正確に撮影するために側面で撮影することができるように赤外線側面発信部２６０ａを収容する赤外線側面発信部ケース２６０が長手方向に形成されている。
【００６５】
また、ユーザは、指オブジェクトをこのスキャンパネル２５０ｎ、２５０ｒの上に当てて指静脈認証を開始し、前記装置による指静脈認証が開始されると、左右の側面で赤外線光源部２４１、２４３と下部側で赤外線光源部２４０、２４４が指オブジェクトに向かって赤外線を照射する。
【００６６】
また、これらの左右側イメージセンサー２３１、２３２と下側イメージセンサー２３０、２３３がそれぞれ照射された指の指静脈を撮影することとなる。
【００６７】
前記スキャンパネル下部ケース２０１ｂは、電装品を収容できる空間で形成することとなる。
【００６８】
また、指が保持され得る指保持枠２５３が形成される。
【００６９】
したがって、本発明の第４実施形態において、ユーザは、指オブジェクトをこのスキャンパネル２５０ｎ、２５０ｒの上に当てて指紋と指静脈認証を開始し、前記装置による指紋と指静脈認証が開始されると、赤外線光源部２４０、２４４が指オブジェクトに向かって赤外線を照射する。
【００７０】
当該正確度のために左右側に形成された赤外線光源部２４１、２４３が指オブジェクトに向かって赤外線を照射することとなるものである。
【００７１】
また、ほぼ同時に指紋認証モジュール２５０ａｎ、２５０ａｒが同じオブジェクト収容部２０１内に設置されて、オブジェクトの指紋を認証する。
【００７２】
本発明の好ましい一実施形態において、指の指静脈と指紋を同時に撮影して二つとも生体情報として使用することにより、一つの指紋や指静脈を測定するためにそれぞれ撮影した時より誤差範囲を最大２乗分の１に減らすことができる。
【００７３】
図５は、二つの指紋を利用する本発明の第５実施形態であって、図２、図４に示された実施形態と同じ技術的構成については、同じ符号および技術的用語をそのまま使用することとする。
【００７４】
図面から分かるように、図２、図４に示された実施形態と大部分同一であるが、指紋認識部だけで形成して二つの指紋を同時に認証することができるように、他の実施形態においての指紋イメージセンサー２２０の代わりに指紋認識モジュール２５０ａａ、２５０ａｂを形成して、指紋の接触によって指紋を判断できる方法を提供している。
【００７５】
ここでも、セキュリティーの確率を高めるために、前述した指の血流フローの温度を感知する温度センサー２０５ａ、２０５ｂを指紋認識モジュール２５０ａａ、２５０ａｂの前方に形成することにより、指を着地させる場合、指の温度および血流フローを感知して、感知された温度およびフローによって指静脈の認識が可能に形成されている。
【００７６】
前記温度センサー２０５ａ、２０５ｂの代わりに指紋認識モジュール２５０ａａ、２５０ａｂが形成され得るが、これは、多層の薄板構造となっており、指紋認証モジュールの上層部に指紋認識層が形成されており、その下部に温度および血流感知認証層が形成されて、人体の温度および血流を感知した後に、その作動を開始し得るように形成され得る。
【００７７】
図６は、本発明の好ましい一実施形態による指静脈撮影認証装置２００の内部電子的構成例である。
【００７８】
統合撮影認証装置２００は、赤外線光源部２４０、指静脈イメージセンサー２３０、指紋イメージセンサー２２０、デジタル変換部２９０、マッチングアルゴリズム部２６０、生体情報データ保存部２７０および表示部２８０を含む。
【００７９】
また、図示していないが、電源部、通信部および多様なＩ／Ｏデバイスを含むことができる。
【００８０】
赤外線光源部２４０は、オブジェクト収容部に向かって赤外線光を照射する。好ましくは指静脈イメージを撮像するに適合した６３０〜１，０００ｎｍ波長の赤外線光を放出するものであって、１個以上のＬＥＤで構成され得る。また、好ましくは光学フィルターが設置されて、光ノイズを除去するようにすることができる。
【００８１】
可視線光源部２４２は、オブジェクト収容部に向かって可視光線を照射する。指の表面における指紋を撮影するに適合した波長の紫外線光を放出するものであって、１個以上のＬＥＤで構成され得る。
【００８２】
また、本発明の一実施形態において、オブジェクト収容部に向かって赤外線光と可視線光を照射する赤外線光源部２４０と可視光線光源部２４２がそれぞれ一つ設置され得る。
【００８３】
本発明の他の実施形態において、赤外線光源部２４０と可視線光源部２４２をオブジェクト収容部１０１内に複数個設置して、オブジェクトに均一に赤外線と可視線が到達するようにして、イメージ獲得に最適化することができる。
【００８４】
本発明の好ましい実施形態において指静脈イメージセンサー２３０、２３１は、下部および側部で一つの指オブジェクトに対する指静脈イメージを獲得する。
【００８５】
本発明の他の好ましい実施形態において指静脈イメージセンサー２３０は、一つの指オブジェクトに対する指紋面と側面の指静脈イメージを獲得する。
【００８６】
図７（ａ）、（ｂ）に示されたように、一つの指の内側表面と側面でそれぞれ赤外線を撮影する角度である。
【００８７】
参照符号１ａは、指節の間の指静脈の部分であり、１ｂは、指節であり、１ｃは、指紋の部分である。
【００８８】
指オブジェクトの正面イメージ撮影時に指の指紋面がスキャンパネルに当接するように載置して撮影し、指静脈イメージセンサー２３０、２３１、２３２、２３３の数によって側面イメージの撮影時に指をそのまま横に９０度で側面がスキャンパネルに当接するようにする。指の指紋面と側面の撮影順序は、互いに変わることができる。
【００８９】
デジタル変換部２９０は、前記指静脈イメージと指紋イメージを全部受け入れて、指静脈と指紋イメージとして抽出する。デジタル変換部２９０により、本発明は、指に対する指静脈と指紋のイメージファイルを得る。
【００９０】
制御部２１０は、デジタル変換部２９０で変換されたイメージファイルがマッチングアルゴリズム部２６０に伝達されるようにする。
【００９１】
生体情報データ保存部２７０には、事前に保存されたユーザの生体情報が保管されている。本発明の一実施形態において生体情報データ保存部２７０は、認証装置２００内部メモリーに構築され得る。
【００９２】
本発明の他の実施形態において前記データ保存部２７０は、装置外部の保存部に位置し、有線または無線通信でアクセスすることができる。
【００９３】
生体情報データ保存部２７０は、外部からのハードウェア、ソフトウェア的攻撃や盗難から保護され得る暗号プロセッサ（Ｃｒｙｐｔｏ−ｐｒｏｃｅｓｓｏｒ）を使用することができる。
【００９４】
マッチングアルゴリズム部２６０は、前記生体情報データ保存部２７０に保存されているユーザのデータを獲得した後、デジタル変換部２９０で獲得したユーザ生体情報値と一致するか否かを判断する。一致する場合、表示部２８０を介して成功メッセージを出力することができる。もし復号化の失敗時には、表示部２８０に認証失敗メッセージを出力することができる。
【００９５】
制御部２１０は、認証装置２００の動作と機能を制御する。
【００９６】
特に指静脈イメージ獲得、処理、認証演算および認証結果を判断する。獲得した指静脈イメージの処理と演算に関連しては、多様なソフトウェアを利用することができる。
【００９７】
例えばキャニーエッジ検出（Ｃａｎｎｙ  ｅｄｇｅ  ｄｅｔｅｃｔｏｒ）アルゴリズムを使用することができる。ガウスフィルター（Ｇａｕｓｓｉａｎ  Ｆｉｌｔｅｒ）を適用して原本イメージのノイズを全体的に除去することができる。イメージグラディエント（Ｉｍａｇｅ  Ｇｒａｄｉｅｎｔ）を用いてイメージをエッジ化する。すなわちイメージのスケッチ線を抽出する。Ｎｏｎ−ｍａｘｉｍｕｍ  Ｓｕｐｐｒｅｓｓｉｏｎを適用してエッジ（スケッチ線）を薄くさせる作業を実施し、２重しきい値（Ｄｏｕｂｌｅ  Ｔｈｒｅｓｈｏｌｄ）を適用して、濃いエッジは、確実なエッジに分類し、薄いエッジは、ノイズと見なして、弱いエッジに分類する。また、最後に弱いエッジを削除し、確実なエッジだけ残して、最終的に指静脈のエッジ化したイメージを出力することである。
【００９８】
このような詳細な説明に基づいて本発明の認証装置の認証プロセスの実施形態をさらに整理すると、図８の通りである。
【００９９】
まず、待機中である状態の認証装置のオブジェクト収容部に認証対象者が自分の指を位置させる。この際、認証方法は、一つの指の指紋面と指静脈を下部または／および側面で撮影する方法である。
【０１００】
一つの指だけを使用して認証する実施形態の場合、一つの指の指紋面と側面に対する赤外線、可視線撮影（Ｓ２００）と指静脈、指紋撮影（Ｓ２１０）が交互に総２〜３回実施される。
【０１０１】
すなわち、一つの指の指紋面に対してＳ２００、Ｓ２１０が実行された後、同じ指の側面に対してＳ２００、Ｓ２１０が実行される。このように撮影された指静脈と指紋イメージは、デジタルイメージに変換される。
【０１０２】
次に、制御部は、撮影された指紋と指静脈イメージを抽出し（Ｓ２２０）、この際、図７（ａ）、（ｂ）のように指紋イメージから抽出された指紋と、二つの指節のシワの間を指静脈イメージ抽出領域として使用し、前述したキャニーエッジ検出アルゴリズムを利用して指静脈のエッジ化したイメージで処理することができる。
【０１０３】
次に、生体情報データ保存部に保存されているユーザの生体データを「今」獲得されてイメージ処理された指の指紋と指静脈イメージと比較して、一致時に、指紋と指静脈認証の成功が判別され、失敗時に、認証失敗と判断される。
【０１０４】
認証結果は、表示部を介して表示される。それは、音声を伴った結果表示であってもよい。
【０１０５】
次に、二つの指を撮影する方法を説明する。
【０１０６】
まず、待機中である状態の認証装置のオブジェクト収容部に認証対象者が自分の指を位置させる。この際、認証方法は、二つの指の指紋面と指静脈を下部または／および側面を撮影する方法である。
【０１０７】
二つの指を使用して認証する実施形態の場合、二つの指の指紋面と下部または側面に対する赤外線撮影（Ｓ２００）と指静脈、指紋撮影（Ｓ２１０）が交互に総２〜３回実施される。
【０１０８】
すなわち、二つの指の指紋面に対してＳ２００、Ｓ２１０が実行された後、同じ指の側面に対してＳ２００、Ｓ２１０が実行される。このように撮影された指静脈と指紋イメージは、デジタルイメージに変換される。
【０１０９】
ここで、設計によって下部または側面のうちいずれか一つを省略することもできる。
【０１１０】
次に、制御部は、撮影された指紋と指静脈イメージを抽出し（Ｓ２２０）、この際、図７（ａ）、（ｂ）のように指紋イメージから抽出された指紋と、二つの指節のシワの間を指静脈イメージ抽出領域として使用し、前述したキャニーエッジ検出アルゴリズムを利用して指静脈のエッジ化したイメージで処理することができる。
【０１１１】
次に、生体情報データ保存部に保存されているユーザの生体データを「今」獲得されてイメージ処理された指の指紋と指静脈イメージと比較して、一致時に、指紋と指静脈認証の成功が判別され、失敗時に、認証失敗と判断される。
【０１１２】
認証結果は、表示部を介して表示される。それは、音声を伴った結果表示であってもよい。
【０１１３】
本発明の認証装置は、例えば指の指紋イメージと指静脈データを同時に活用して認証することにより誤認識率を画期的に減らすことができるものである。
【０１１４】
次は、指紋と指静脈を認識したイメージを活用する方法について説明する。
【０１１５】
図９は、本発明の二つの指に対する指紋および指静脈のイメージを区分して示す図であり、図１０は、本発明の指紋１と指紋２および指静脈１と指静脈２が組合せの形態を示すことができるマトリックス表である。
【０１１６】
ここでは、指紋および指静脈のイメージを少なくとも複数個にすることができる場合が６種類の場合である。
【０１１７】
すなわち、（１）指紋１（２５０ａｎ）と指紋２（２５０ａｒ）、（２）指静脈１（２５０ｂｎ）と指静脈２（２５０ｂｒ）、（３）指紋１（２５０ａｎ）と指静脈１（２５０ｂｎ）、（４）指紋２（２５０ａｒ）と指静脈２（２５０ｂｒ）、（５）指紋１（２５０ａｎ）と指静脈２（２５０ｂｒ）、（６）指紋２（２５０ａｒ）と指静脈１（２５０ｂｎ）になるものであり、これらをさらに複合的にすることができるが、二つだけの組合せでも地球上の人口数をカバーすることができるものである。
【０１１８】
次に、これらの指紋と指静脈が組合わせて判断されて、ミドルウェア承認を経て無認証で金融取引を中継できる方法について説明する。
【０１１９】
図１１、図１２は、本発明の指紋１と指紋２が同時に認証される場合のフローチャートで、図１３、図１４は、本発明の指静脈１と指静脈２が同時に認定される場合のフローチャートであり、図１５、図１６は、本発明の指紋１と指静脈１が同時に認定される場合のフローチャートであり、図１７、図１８は、本発明の指紋２と指静脈２が同時に認定される場合のフローチャートであり、図１９、図２０は、本発明の指紋１と指静脈２が同時に認定される場合のフローチャートであり、図２１、図２２は、本発明の指紋２と指静脈１が同時に認定される場合のフローチャートであり、図２３は、本発明の金融取引システムを示すブロック図である。
【０１２０】
図１１は、本発明の一実施形態による指紋１認証を利用した多重安全ロック機能を具備する金融取引中継システムの処理手順をそれぞれ相異に発明して示すフローチャートである。
【０１２１】
図１１を参照すると、本発明の金融取引中継システム２は、段階Ｓ１５０で、顧客端末２００が通信網４を介して金融取引中継サーバー１００に接続し、段階Ｓ１５２で、会員に加入する。この際、顧客端末２００は、氏名、ＩＤ、パスワード、電話番号、メールアドレスなどの顧客の個人情報を入力する。
【０１２２】
段階Ｓ１５４で、顧客端末２００は、指紋２認識装置２１０と指紋１認識装置２２０を介して指紋２情報と指紋１情報を獲得し、通信網４を介して指紋２情報と指紋１情報を金融取引中継サーバー１００に伝送すると、金融取引中継サーバー１００は、顧客端末２００に対応して指紋２情報と指紋１情報を登録する。この際、金融取引中継サーバー１００は、データベースに指紋２情報と指紋１情報を保存する。
【０１２３】
段階Ｓ１５６で、金融取引中継サーバー１００は、電子金融取引および電子商取引を行うために、一次的に指紋１を認識して、段階Ｓ１５８で、データベースに保存された指紋１情報と一致するかを判別して、顧客端末２００のユーザを認証する。
【０１２４】
判別結果、二つの情報が一致すると、段階Ｓ１６４で、二次的に指紋２を認識し、段階Ｓ１６６で、データベースに保存された指紋２情報と一致するかを判別する。
【０１２５】
判別結果、二つの指紋２情報が一致すると、この手順は、段階Ｓ１６８に進めて、三次的にミドルウェア承認処理部１２０を介して多重安全ロックモジュール１１０で金融取引中継サーバー１００のデータベースを開けるようにファイアウォールを解除し、引き続いて、段階Ｓ１７０で、金融取引中継サーバー１００は、無認証で電子金融取引システム３００または電子商取引システム４００に接続して、金融取引を中継するように処理する。
【０１２６】
しかしながら、段階Ｓ１５８および段階Ｓ１６６それぞれで、金融取引中継サーバー１００は、顧客端末２００から指紋２情報および指紋１情報のうちいずれか一つでも一致しないと、段階Ｓ１７２に進めて、電子金融取引および電子商取引を処理しないように金融取引中継サーバー１００の接続を遮断させる。
【０１２７】
指紋１認識の場合には、生きている状態だけで可能であるので、これを本人だけが行うことができるので、その他追加されるパスワードの過程を省略しても、セキュリティーの効果は、変わらないからである。
【０１２８】
また、図１２は、本発明の他の実施形態による指紋１と指紋２を同時にスキャンしてユーザ認証を処理する多重安全ロック機能を具備する金融取引中継システムの処理手順をそれぞれ相異に発明して示すフローチャートである。この実施形態は、指紋１情報と指紋２情報が同一または類似していて、ユーザ識別が困難である場合に処理されるものであり、指紋１情報を用いて一次ユーザ認証を処理し、一次でユーザ識別が困難である場合には、二次に指紋２情報を用いてユーザ認証を処理する。
【０１２９】
すなわち、図１２を参照すると、本発明の金融取引中継システム２は、段階Ｓ１８０で、顧客端末２００の指紋２認識装置２１０と指紋１認識装置２２０から同時に指紋２および指紋１をスキャンして、指紋２情報と指紋１情報を金融取引中継サーバー１００に提供する。
【０１３０】
段階Ｓ１８２で、金融取引中継サーバー１００は、指紋１情報と指紋２情報を認識し、段階Ｓ１８４で、指紋１情報がデータベースに保存された指紋１情報と比較して、唯一なものであるかを判別する。
【０１３１】
判別結果、指紋１情報が唯一なものであれば、この手順は、段階Ｓ１８８に進め、唯一なものでなければ、すなわち、指紋１情報が同一または類似していて、ユーザ識別が困難である場合には、段階Ｓ１８６で、指紋２情報をデータベースに保存された指紋２情報と比較して、唯一なものであるかを判別する。
【０１３２】
判別結果、指紋２情報が唯一なものであれば、この手順は、段階Ｓ１８８に進めて、ファイアウォール解除および遮断のためのユーザ認証を処理する。
【０１３３】
段階Ｓ１９２で、ミドルウェア承認処理部１２０を介して多重安全ロックモジュール１１０で金融取引中継サーバー１００のデータベースを開けるようにファイアウォールを解除し、引き続いて、段階Ｓ１９４で、金融取引中継サーバー１００は、無認証で電子金融取引システム３００または電子商取引システム４００に接続して、金融取引を中継するように処理する。
【０１３４】
しかしながら、段階Ｓ１８６および段階Ｓ１９０それぞれで、顧客端末２００が指紋１情報と指紋２情報を用いてユーザ認証が不可能な場合には、段階Ｓ１９６に進めて、電子金融取引および電子商取引を処理しないように、金融取引中継サーバー１００の接続を遮断させる。
【０１３５】
図１３は、本発明の一実施形態による指静脈１認証を利用した多重安全ロック機能を具備する金融取引中継システムの処理手順をそれぞれ相異に発明して示すフローチャートである。
【０１３６】
図１３を参照すると、本発明の金融取引中継システム２は、段階Ｓ１５０で、顧客端末２００が通信網４を介して金融取引中継サーバー１００に接続し、段階Ｓ１５２で、会員に加入する。この際、顧客端末２００は、氏名、ＩＤ、パスワード、電話番号、メールアドレスなどの顧客の個人情報を入力する。
【０１３７】
段階Ｓ１５４で、顧客端末２００は、指静脈２認識装置２１０と指静脈１認識装置２２０を介して指静脈２情報と指静脈１情報を獲得し、通信網４を介して指静脈２情報と指静脈１情報を金融取引中継サーバー１００に伝送すると、金融取引中継サーバー１００は、顧客端末２００に対応して指静脈２情報と指静脈１情報を登録する。この際、金融取引中継サーバー１００は、データベースに指静脈２情報と指静脈１情報を保存する。
【０１３８】
段階Ｓ１５６で、金融取引中継サーバー１００は、電子金融取引および電子商取引を行うために、一次的に指静脈１を認識して、段階Ｓ１５８で、データベースに保存されて静脈１情報と一致するかを判別して、顧客端末２００のユーザを認証する。
【０１３９】
判別結果、二つの情報が一致すると、段階Ｓ１６４で、二次的に指静脈２を認識し、段階Ｓ１６６で、データベースに保存されて静脈２情報と一致するかを判別する。
【０１４０】
判別結果、二つの指静脈２情報が一致すると、この手順は、段階Ｓ１６８に進めて、三次的にミドルウェア承認処理部１２０を介して多重安全ロックモジュール１１０で金融取引中継サーバー１００のデータベースを開けるようにファイアウォールを解除し、引き続いて、段階Ｓ１７０で、金融取引中継サーバー１００は、無認証で電子金融取引システム３００または電子商取引システム４００に接続して、金融取引を中継するように処理する。
【０１４１】
しかしながら、段階Ｓ１５８および段階Ｓ１６６それぞれで、金融取引中継サーバー１００は、顧客端末２００から指静脈２情報および指静脈１情報のうちいずれか一つでも一致しないと、段階Ｓ１７２に進めて、電子金融取引および電子商取引を処理しないように、金融取引中継サーバー１００の接続を遮断させる。
【０１４２】
指静脈１認識の場合には、生きている状態だけで可能であるので、これを本人だけが行うことができるので、その他追加されるパスワードの過程を省略しても、セキュリティーの効果は、変わらないからである。
【０１４３】
また、図１４は、本発明の他の実施形態による指静脈１と指静脈２を同時にスキャンしてユーザ認証を処理する多重安全ロック機能を具備する金融取引中継システムの処理手順をそれぞれ相異に発明して示すフローチャートである。この実施形態は、指静脈１情報と指静脈２情報が同一または類似していて、ユーザ識別が困難である場合に処理されるものであり、指静脈１情報を用いて一次ユーザ認証を処理し、一次でユーザ識別が困難である場合には、二次に指静脈２情報を用いてユーザ認証を処理する。
【０１４４】
すなわち、図１４を参照すると、本発明の金融取引中継システム２は、段階Ｓ１８０で、顧客端末２００の指静脈２認識装置２１０と指静脈１認識装置２２０から同時に指静脈２および指静脈１をスキャンして、指静脈２情報と指静脈１情報を金融取引中継サーバー１００に提供する。
【０１４５】
段階Ｓ１８２で、金融取引中継サーバー１００は、指静脈１情報と指静脈２情報を認識し、段階Ｓ１８４で、指静脈１情報がデータベースに保存された指静脈１情報と比較して、唯一なものであるかを判別する。
【０１４６】
判別結果、指静脈１情報が唯一なものであれば、この手順は、段階Ｓ１８８に進め、唯一なものでなければ、すなわち、指静脈１情報が同一または類似していて、ユーザ識別が困難である場合には、段階Ｓ１８６で、指静脈２情報をデータベースに保存された指静脈２情報と比較して、唯一なものであるかを判別する。
【０１４７】
判別結果、指静脈２情報が唯一なものであれば、この手順は、段階Ｓ１８８に進めて、ファイアウォール解除および遮断のためのユーザ認証を処理する。
【０１４８】
段階Ｓ１９２で、ミドルウェア承認処理部１２０を介して多重安全ロックモジュール１１０で金融取引中継サーバー１００のデータベースを開けるようにファイアウォールを解除し、引き続いて、段階Ｓ１９４で、金融取引中継サーバー１００は、無認証で電子金融取引システム３００または電子商取引システム４００に接続して、金融取引を中継するように処理する。
【０１４９】
しかしながら、段階Ｓ１８６および段階Ｓ１９０それぞれで、顧客端末２００が指静脈１情報と指静脈２情報を用いてユーザ認証が不可能な場合には、段階Ｓ１９６に進めて、電子金融取引および電子商取引を処理しないように、金融取引中継サーバー１００の接続を遮断させる。
【０１５０】
図１５は、本発明の一実施形態による指紋１認証を利用した多重安全ロック機能を具備する金融取引中継システムの処理手順をそれぞれ相異に発明して示すフローチャートである。
【０１５１】
図１５を参照すると、本発明の金融取引中継システム２は、段階Ｓ１５０で、顧客端末２００が通信網４を介して金融取引中継サーバー１００に接続し、段階Ｓ１５２で、会員に加入する。この際、顧客端末２００は、氏名、ＩＤ、パスワード、電話番号、メールアドレスなどの顧客の個人情報を入力する。
【０１５２】
段階Ｓ１５４で、顧客端末２００は、指静脈１認識装置２１０と指紋１認識装置２２０を介して指静脈１情報と指紋１情報を獲得し、通信網４を介して指静脈１情報と指紋１情報を金融取引中継サーバー１００に伝送すると、金融取引中継サーバー１００は、顧客端末２００に対応して指静脈１情報と指紋１情報を登録する。この際、金融取引中継サーバー１００は、データベースに指静脈１情報と指紋１情報を保存する。
【０１５３】
段階Ｓ１５６で、金融取引中継サーバー１００は、電子金融取引および電子商取引を行うために、一次的に指紋１を認識して、段階Ｓ１５８で、データベースに保存された指紋１情報と一致するかを判別して、顧客端末２００のユーザを認証する。
【０１５４】
判別結果、二つの情報が一致すると、段階Ｓ１６４で、二次的に指静脈１を認識し、段階Ｓ１６６で、データベースに保存された指静脈１情報と一致するかを判別する。
【０１５５】
判別結果、二つの指静脈１情報が一致すると、この手順は、段階Ｓ１６８に進めて、三次的にミドルウェア承認処理部１２０を介して多重安全ロックモジュール１１０で金融取引中継サーバー１００のデータベースを開けるようにファイアウォールを解除し、引き続いて、段階Ｓ１７０で、金融取引中継サーバー１００は、無認証で電子金融取引システム３００または電子商取引システム４００に接続して、金融取引を中継するように処理する。
【０１５６】
しかしながら、段階Ｓ１５８および段階Ｓ１６６それぞれで、金融取引中継サーバー１００は、顧客端末２００から指静脈１情報および指紋１情報のうちいずれか一つでも一致しないと、段階Ｓ１７２に進めて、電子金融取引および電子商取引を処理しないように、金融取引中継サーバー１００の接続を遮断させる。
【０１５７】
指紋１認識の場合には、生きている状態だけで可能であるので、これを本人だけが行うことができるので、その他追加されるパスワードの過程を省略しても、セキュリティーの効果は、変わらないからである。
【０１５８】
また、図１６は、本発明の他の実施形態による指紋１と指静脈１を同時にスキャンしてユーザ認証を処理する多重安全ロック機能を具備する金融取引中継システムの処理手順をそれぞれ相異に発明して示すフローチャートである。この実施形態は、指紋１情報と指静脈１情報が同一または類似していて、ユーザ識別が困難である場合に処理されるものであり、指紋１情報を用いて一次ユーザ認証を処理して、一次でユーザ識別が困難である場合には、二次に指静脈１情報を用いてユーザ認証を処理する。
【０１５９】
すなわち、図１６を参照すると、本発明の金融取引中継システム２は、段階Ｓ１８０で、顧客端末２００の指静脈１認識装置２１０と指紋１認識装置２２０から同時に指静脈１および指紋１をスキャンして、指静脈１情報と指紋１情報を金融取引中継サーバー１００に提供する。
【０１６０】
段階Ｓ１８２で、金融取引中継サーバー１００は、指紋１情報と指静脈１情報を認識し、段階Ｓ１８４で、指紋１情報がデータベースに保存された指紋１情報と比較して、唯一なものであるかを判別する。
【０１６１】
判別結果、指紋１情報が唯一なものであれば、この手順は、段階Ｓ１８８に進め、唯一なものでなければ、すなわち、指紋１情報が同一または類似していて、ユーザ識別が困難である場合には、段階Ｓ１８６で、指静脈１情報をデータベースに保存された指静脈１情報と比較して、唯一なものであるかを判別する。
【０１６２】
判別結果、指静脈１情報が唯一なものであれば、この手順は、段階Ｓ１８８に進めて、ファイアウォール解除および遮断のためのユーザ認証を処理する。
【０１６３】
段階Ｓ１９２で、ミドルウェア承認処理部１２０を介して多重安全ロックモジュール１１０で金融取引中継サーバー１００のデータベースを開けるようにファイアウォールを解除し、引き続いて、段階Ｓ１９４で、金融取引中継サーバー１００は、無認証で電子金融取引システム３００または電子商取引システム４００に接続して、金融取引を中継するように処理する。
【０１６４】
しかしながら、段階Ｓ１８６および段階Ｓ１９０それぞれで、顧客端末２００が指紋１情報と指静脈１情報を用いてユーザ認証が不可能な場合には、段階Ｓ１９６に進めて、電子金融取引および電子商取引を処理しないように、金融取引中継サーバー１００の接続を遮断させる。
【０１６５】
図１７は、本発明の一実施形態による指紋２認証を利用した多重安全ロック機能を具備する金融取引中継システムの処理手順をそれぞれ相異に発明して示すフローチャートである。
【０１６６】
図１７を参照すると、本発明の金融取引中継システム２は、段階Ｓ１５０で、顧客端末２００が通信網４を介して金融取引中継サーバー１００に接続し、段階Ｓ１５２で、会員に加入する。この際、顧客端末２００は、氏名、ＩＤ、パスワード、電話番号、メールアドレスなどの顧客の個人情報を入力する。
【０１６７】
段階Ｓ１５４で、顧客端末２００は、指静脈２認識装置２１０と指紋２認識装置２２０を介して指静脈２情報と指紋２情報を獲得し、通信網４を介して指静脈２情報と指紋２情報を金融取引中継サーバー１００に伝送すると、金融取引中継サーバー１００は、顧客端末２００に対応して指静脈２情報と指紋２情報を登録する。この際、金融取引中継サーバー１００は、データベースに指静脈２情報と指紋２情報を保存する。
【０１６８】
段階Ｓ１５６で、金融取引中継サーバー１００は、電子金融取引および電子商取引を行うために、一次的に指紋２を認識して、段階Ｓ１５８で、データベースに保存された指紋２情報と一致するかを判別して、顧客端末２００のユーザを認証する。
【０１６９】
判別結果、二つの情報が一致すると、段階Ｓ１６４で、二次的に指静脈２を認識し、段階Ｓ１６６で、データベースに保存された指静脈２情報と一致するかを判別する。
【０１７０】
判別結果、二つの指静脈２情報が一致すると、この手順は、段階Ｓ１６８に進めて、三次的にミドルウェア承認処理部１２０を介して多重安全ロックモジュール１１０で金融取引中継サーバー１００のデータベースを開けるようにファイアウォールを解除し、引き続いて、段階Ｓ１７０で、サーバー１００は、無認証で電子金融取引システム３００または電子商取引システム４００に接続して、金融取引を中継するように処理する。
【０１７１】
しかしながら、段階Ｓ１５８および段階Ｓ１６６それぞれで、金融取引中継サーバー１００は、顧客端末２００から指静脈２情報および指紋２情報のうちいずれか一つでも一致しないと、段階Ｓ１７２に進めて、電子金融取引および電子商取引を処理しないように、金融取引中継サーバー１００の接続を遮断させる。
【０１７２】
指紋２認識の場合には、生きている状態だけで可能であるので、これを本人だけが行うことができるので、その他追加されるパスワードの過程を省略しても、セキュリティーの効果は、変わらないからである。
【０１７３】
また、図１８は、本発明の他の実施形態による指紋２と指静脈２を同時にスキャンしてユーザ認証を処理する多重安全ロック機能を具備する金融取引中継システムの処理手順をそれぞれ相異に発明して示すフローチャートである。この実施形態は、指紋２情報と指静脈２情報が同一または類似していて、ユーザ識別が困難である場合に処理されるものであり、指紋２情報を用いて一次ユーザ認証を処理し、一次でユーザ識別が困難である場合には、二次に指静脈２情報を用いてユーザ認証を処理する。
【０１７４】
すなわち、図１８を参照すると、本発明の金融取引中継システム２は、段階Ｓ１８０で、顧客端末２００の指静脈２認識装置２１０と指紋２認識装置２２０から同時に指静脈２および指紋２をスキャンして、指静脈２情報と指紋２情報を金融取引中継サーバー１００に提供する。
【０１７５】
段階Ｓ１８２で、金融取引中継サーバー１００は、指紋２情報と指静脈２情報を認識し、段階Ｓ１８４で、指紋２情報がデータベースに保存された指紋２情報と比較して、唯一なものであるかを判別する。
【０１７６】
判別結果、指紋２情報が唯一なものであれば、この手順は、段階Ｓ１８８に進め、唯一なものでなければ、すなわち、指紋２情報が同一または類似していて、ユーザ識別が困難である場合には、段階Ｓ１８６で、指静脈２情報をデータベースに保存された指静脈２情報と比較して唯一なものであるかを判別する。
【０１７７】
判別結果、指静脈２情報が唯一なものであれば、この手順は、段階Ｓ１８８に進めて、ファイアウォール解除および遮断のためのユーザ認証を処理する。
【０１７８】
段階Ｓ１９２で、ミドルウェア承認処理部１２０を介して多重安全ロックモジュール１１０で金融取引中継サーバー１００のデータベースを開けるようにファイアウォールを解除し、引き続いて、段階Ｓ１９４で、金融取引中継サーバー１００は、無認証で電子金融取引システム３００または電子商取引システム４００に接続して、金融取引を中継するように処理する。
【０１７９】
しかしながら、段階Ｓ１８６および段階Ｓ１９０それぞれで、顧客端末２００が指紋２情報と指静脈２情報を用いてユーザ認証が不可能な場合には、段階Ｓ１９６に進めて、電子金融取引および電子商取引を処理しないように、金融取引中継サーバー１００の接続を遮断させる。
【０１８０】
図１９は、本発明の一実施形態による指紋１認証を利用した多重安全ロック機能を具備する金融取引中継システムの処理手順をそれぞれ相異に発明して示すフローチャートである。
【０１８１】
図１９を参照すると、本発明の金融取引中継システム２は、段階Ｓ１５０で、顧客端末２００が通信網４を介して金融取引中継サーバー１００に接続し、段階Ｓ１５２で、会員に加入する。この際、顧客端末２００は、氏名、ＩＤ、パスワード、電話番号、メールアドレスなどの顧客の個人情報を入力する。
【０１８２】
段階Ｓ１５４で、顧客端末２００は、指静脈２認識装置２１０と指紋１認識装置２２０を介して指静脈２情報と指紋１情報を獲得し、通信網４を介して指静脈２情報と指紋１情報を金融取引中継サーバー１００に伝送すると、金融取引中継サーバー１００は、顧客端末２００に対応して指静脈２情報と指紋１情報を登録する。この際、金融取引中継サーバー１００は、データベースに指静脈２情報と指紋１情報を保存する。
【０１８３】
段階Ｓ１５６で、金融取引中継サーバー１００は、電子金融取引および電子商取引を行うために、一次的に指紋１を認識し、段階Ｓ１５８で、データベースに保存された指紋１情報と一致するかを判別して、顧客端末２００のユーザを認証する。
【０１８４】
判別結果、二つの情報が一致すると、段階Ｓ１６４で、二次的に指静脈２を認識し、段階Ｓ１６６で、データベースに保存された指静脈２情報と一致するかを判別する。
【０１８５】
判別結果、二つの指静脈２情報が一致すると、この手順は、段階Ｓ１６８に進めて、三次的にミドルウェア承認処理部１２０を介して多重安全ロックモジュール１１０で金融取引中継サーバー１００のデータベースを開けるようにファイアウォールを解除し、引き続いて、段階Ｓ１７０で、金融取引中継サーバー１００は、無認証で電子金融取引システム３００または電子商取引システム４００に接続して、金融取引を中継するように処理する。
【０１８６】
しかしながら、段階Ｓ１５８および段階Ｓ１６６それぞれで、金融取引中継サーバー１００は、顧客端末２００から指静脈２情報および指紋１情報のうちいずれか一つでも一致しないと、段階Ｓ１７２に進めて、電子金融取引および電子商取引を処理しないように、金融取引中継サーバー１００の接続を遮断させる。
【０１８７】
指紋１認識の場合には、生きている状態だけで可能であるので、これを本人だけが行うことができるので、その他追加されるパスワードの過程を省略しても、セキュリティーの効果は、変わらないからである。
【０１８８】
また、図２０は、本発明の他の実施形態による指紋１と指静脈２を同時にスキャンしてユーザ認証を処理する多重安全ロック機能を具備する金融取引中継システムの処理手順をそれぞれ相異に発明して示すフローチャートである。この実施形態は、指紋１情報と指静脈２情報が同一または類似していて、ユーザ識別が困難である場合に処理されるものであり、指紋１情報を用いて一次ユーザ認証を処理し、一次でユーザ識別が困難である場合には、二次に指静脈２情報を用いてユーザ認証を処理する。
【０１８９】
すなわち、図２０を参照すると、本発明の金融取引中継システム２は、段階Ｓ１８０で、顧客端末２００の指静脈２認識装置２１０と指紋１認識装置２２０から同時に指静脈２および指紋１をスキャンして、指静脈２情報と指紋１情報を金融取引中継サーバー１００に提供する。
【０１９０】
段階Ｓ１８２で、金融取引中継サーバー１００は、指紋１情報と指静脈２情報を認識し、段階Ｓ１８４で、指紋１情報がデータベースに保存された指紋１情報と比較して、唯一なものであるかを判別する。
【０１９１】
判別結果、指紋１情報が唯一なものであれば、この手順は、段階Ｓ１８８に進め、唯一なものでなければ、すなわち、指紋１情報が同一または類似していて、ユーザ識別が困難である場合には、段階Ｓ１８６で、指静脈２情報をデータベースに保存された指静脈２情報と比較して唯一なものであるかを判別する。
【０１９２】
判別結果、指静脈２情報が唯一なものであれば、この手順は、段階Ｓ１８８に進めて、ファイアウォール解除および遮断のためのユーザ認証を処理する。
【０１９３】
段階Ｓ１９２で、ミドルウェア承認処理部１２０を介して多重安全ロックモジュール１１０で金融取引中継サーバー１００のデータベースを開けるようにファイアウォールを解除し、引き続いて、段階Ｓ１９４で金融取引中継サーバー１００は、無認証で電子金融取引システム３００または電子商取引システム４００に接続して、金融取引を中継するように処理する。
【０１９４】
しかしながら、段階Ｓ１８６および段階Ｓ１９０それぞれで、顧客端末２００が指紋１情報と指静脈２情報を用いてユーザ認証が不可能な場合には、段階Ｓ１９６に進めて、電子金融取引および電子商取引を処理しないように、金融取引中継サーバー１００の接続を遮断させる。
【０１９５】
図２１は、本発明の一実施形態による指紋２認証を利用した多重安全ロック機能を具備する金融取引中継システムの処理手順をそれぞれ相異に発明して示すフローチャートである。
【０１９６】
図２１を参照すると、本発明の金融取引中継システム２は、段階Ｓ１５０で、顧客端末２００が通信網４を介して金融取引中継サーバー１００に接続し、段階Ｓ１５２で、会員に加入する。この際、顧客端末２００は、氏名、ＩＤ、パスワード、電話番号、メールアドレスなどの顧客の個人情報を入力する。
【０１９７】
段階Ｓ１５４で、顧客端末２００は、指静脈１認識装置２１０と指紋２認識装置２２０を介して指静脈１情報と指紋２情報を獲得し、通信網４を介して指静脈１情報と指紋２情報を金融取引中継サーバー１００に伝送すると、金融取引中継サーバー１００は、顧客端末２００に対応して指静脈１情報と指紋２情報を登録する。この際、金融取引中継サーバー１００は、データベースに指静脈１情報と指紋２情報を保存する。
【０１９８】
段階Ｓ１５６で、金融取引中継サーバー１００は、電子金融取引および電子商取引を行うために、一次的に指紋２を認識して、段階Ｓ１５８で、データベースに保存された指紋２情報と一致するかを判別して、顧客端末２００のユーザを認証する。
【０１９９】
判別結果、二つの指紋２情報が一致すると、段階Ｓ１６４で、二次的に指静脈１を認識し、段階Ｓ１６６で、データベースに保存された指静脈１情報と一致するかを判別する。
【０２００】
判別結果、二つの情報が一致すると、この手順は、段階Ｓ１６８に進めて、三次的にミドルウェア承認処理部１２０を介して多重安全ロックモジュール１１０で金融取引中継サーバー１００のデータベースを開けるようにファイアウォールを解除し、引き続いて、段階Ｓ１７０で、金融取引中継サーバー１００は、無認証で電子金融取引システム３００または電子商取引システム４００に接続して、金融取引を中継するように処理する。
【０２０１】
しかしながら、段階Ｓ１５８および段階Ｓ１６６それぞれで、金融取引中継サーバー１００は、顧客端末２００から指静脈１情報および指紋２情報のうちいずれか一つでも一致しないと、段階Ｓ１７２に進めて、電子金融取引および電子商取引を処理しないように、金融取引中継サーバー１００の接続を遮断させる。
【０２０２】
指紋２認識の場合には、生きている状態だけで可能であるので、これを本人だけが行うことができるので、その他追加されるパスワードの過程を省略しても、セキュリティーの効果は、変わらないからである。
【０２０３】
また、図２２は、本発明の他の実施形態による指紋２と指静脈１を同時にスキャンしてユーザ認証を処理する多重安全ロック機能を具備する金融取引中継システムの処理手順をそれぞれ相異に発明して示すフローチャートである。この実施形態は、指紋２情報と指静脈１情報が同一または類似していて、ユーザ識別が困難である場合に処理されるものであり、指紋２情報を用いて一次ユーザ認証を処理して、一次でユーザ識別が困難である場合には、二次に指静脈１情報を用いてユーザ認証を処理する。
【０２０４】
すなわち、図２２を参照すると、本発明の金融取引中継システム２は、段階Ｓ１８０で、顧客端末２００の指静脈１認識装置２１０と指紋２認識装置２２０から同時に指静脈１および指紋２をスキャンして、指静脈１情報と指紋２情報を金融取引中継サーバー１００に提供する。
【０２０５】
段階Ｓ１８２で、金融取引中継サーバー１００は、指紋２情報と指静脈１情報を認識し、段階Ｓ１８４で、指紋２情報がデータベースに保存された指紋２情報と比較して、唯一なものであるかを判別する。
【０２０６】
判別結果、指紋２情報が唯一なものであれば、この手順は、段階Ｓ１８８に進め、唯一なものでなければ、すなわち、指紋２情報が同一または類似していて、ユーザ識別が困難である場合には、段階Ｓ１８６で、指静脈１情報をデータベースに保存された指静脈１情報と比較して唯一なものであるかを判別する。
【０２０７】
判別結果、指静脈１情報が唯一なものであれば、この手順は、段階Ｓ１８８に進めて、ファイアウォール解除および遮断のためのユーザ認証を処理する。
【０２０８】
段階Ｓ１９２で、ミドルウェア承認処理部１２０を介して多重安全ロックモジュール１１０で金融取引中継サーバー１００のデータベースを開けるようにファイアウォールを解除し、引き続いて、段階Ｓ１９４で、金融取引中継サーバー１００は、無認証で電子金融取引システム３００または電子商取引システム４００に接続して、金融取引を中継するように処理する。
【０２０９】
しかしながら、段階Ｓ１８６および段階Ｓ１９０それぞれで、顧客端末２００が指紋２情報と指静脈１情報を用いてユーザ認証が不可能な場合には、段階Ｓ１９６に進めて、電子金融取引および電子商取引を処理しないように、金融取引中継サーバー１００の接続を遮断させる。
【０２１０】
このように、本発明は、上記のような６種類のマトリックスによる方法で具現することができ、これに伴い、人体情報としての二つ以上を組み合わせることにより、模倣やハッキングの憂慮から逃れることができ、技術的に指紋や指静脈の誤差部分を解消できる唯一の方法であると言える。
【０２１１】
また、一つの指紋の誤差確率が１０万分の１であれば、これを８０％の認識度に下げ、二つのモジュールを利用して同時満足条件とすると、８万分の１の二乗に該当する６４億分の１になる結果が現れるので、地球の人口をカバーすることができる確率になって、現実的に同じ二つの指紋はありえないという結論に達することとなる。
【０２１２】
指静脈の場合は、より一層誤差確率が１億以上になって、これと組合せられる場合には、地球の人口の数と対比できないものになって、現実的に同じ二つの指紋はありえないという結論に達することとなる。
【０２１３】
本発明の保護範囲が以上で明示的に説明した実施形態の記載と表現に制限されるものではない。また、本発明の属する技術分野における自明な変更や置換により本発明が保護範囲が制限されないことをもう一度付言する。
【符号の説明】
【０２１４】
２００  統合撮影認証装置
２０１  オブジェクト収容部
２０１ａ  スキャンパネル上部ケース
２０１ｂ  スキャンパネル下部ケース
２２０、２３０、２３１  イメージセンサー
２４０、２４１  赤外線光源部
２４２  可視光線光源部
２５０  スキャンパネル
２５０ａ  指紋指接触部
２５０ｂ  指静脈指非接触部
２６０ａ  赤外線側面発信部
２６０  赤外線側面発信部ケース
【図１】
2019511793.tif 000003
【図２】
2019511793.tif 000004
【図３】
2019511793.tif 000005
【図４】
2019511793.tif 000006
【図５】
2019511793.tif 000007
【図６】
2019511793.tif 000008
【図７】
2019511793.tif 000009
【図８】
2019511793.tif 000010
【図９】
2019511793.tif 000011
【図１０】
2019511793.tif 000012
【図１１】
2019511793.tif 000013
【図１２】
2019511793.tif 000014
【図１３】
2019511793.tif 000015
【図１４】
2019511793.tif 000016
【図１５】
2019511793.tif 000017
【図１６】
2019511793.tif 000018
【図１７】
2019511793.tif 000019
【図１８】
2019511793.tif 000020
【図１９】
2019511793.tif 000021
【図２０】
2019511793.tif 000022
【図２１】
2019511793.tif 000023
【図２２】
2019511793.tif 000024
【図２３】
2019511793.tif 000025
【国際調査報告】
2019511793.tif 000026
2019511793.tif 000027
2019511793.tif 000028
2019511793.tif 000029